(57)【要約】【課題】ブッシュ間の長さ寸法を簡単に変えることが可能で、さらに、製造の容易化を図ることができ、加えて、軽量化を図ることができる自動車用のトルクロッドを提供する。【解決手段】自動車用のトルクロッド２０は、連結ロッド部４２の先端部４４に外筒３１を有するブラケット３０が設けられ、外筒３１の内部にゴム弾性体３３を介して内筒３２が設けられ、内筒３２がフロントサブフレーム１３に取り付けられている。このトルクロッド２０は、連結ロッド部４２がアルミニウム合金製の部材で、かつ、ブラケット３０が樹脂製の部材であり、連結ロッド部４２の先端部４４にブラケット３０が一体に形成されている。【選択図】図３
2011168087.tif 000002
【特許請求の範囲】
【請求項１】
ロッド部の一端部に外筒を有するブラケットが設けられ、前記外筒の内部に弾性体を介して内筒が設けられ、前記内筒がパワープラントまたは車体に取り付けられる自動車用のトルクロッドにおいて、
前記ロッド部が金属製の部材で、かつ、前記ブラケットが樹脂製の部材であり、
前記ロッド部の一端部に前記ブラケットが一体に形成されたことを特徴とする自動車用のトルクロッド。
【請求項２】
前記ロッド部の他端部に前記ロッド部と同じ金属製の外筒が一体に形成され、
前記金属製の外筒の内部に弾性体を介して内筒が設けられたことを特徴とする請求項１記載の自動車用のトルクロッド。
【発明の詳細な説明】
【技術分野】
【０００１】
本発明は、動力源となるパワープラントを車体に連結してパワープラントや車体の振動を絶縁（緩和）する自動車用のトルクロッドに関する。
【背景技術】
【０００２】
自動車用のトルクロッドは、一対のブッシュがロッド部で連結され、連結された一方のブッシュが車体に取り付けられ、連結された他方のブッシュがパワープラントに取り付けられることで、パワープラントおよび車体を連結している。
一対のブッシュは、金属製の外筒を備え、それぞれの外筒内にゴム弾性体を介して内筒が設けられている。
【０００３】
ここで、自動車などの車両は走行時（特に、加速時）に車両の左右方向（車幅方向）や上下方向に２００〜９００Ｈｚの振動が生じることが知られている。
このため、走行時（加速時）に生じる左右方向や上下方向の振動にトルクロッドが共振しないようにトルクロッドの連結部は、通常、剛性の高い金属製の部材で形成されている。
剛性の高い金属製の部材で連結部を形成することで、連結部の共振周波数（固有振動数）を２００〜９００Ｈｚより高く設定して連結部の共振を抑えることができる。
【０００４】
一方、トルクロッドで連結するパワープラントおよび車体間の距離は車種に応じて変化する。
このため、複数の車種に対応させて複数種のトルクロッドを用意する必要があり、そのことがトルクロッドのコストを下げる妨げになっていた。
【０００５】
この問題を解消する手段として、トルクロッドの連結部を一方の連結部と他方の連結部とに２分割し、一方の連結部に他方の連結部を差し込み、それぞれの連結部を溶接したものが知られている。
一方の連結部に対する他方の連結部の差込量を調整することで、一対のブッシュ間の長さ寸法を車両に合わせて変えることができる（例えば、特許文献１参照。）。
【先行技術文献】
【特許文献】
【０００６】
【特許文献１】特開２００７−３０２０８４号公報
【発明の概要】
【発明が解決しようとする課題】
【０００７】
しかし、特許文献１のトルクロッドは、連結部の剛性を確保するために一方の連結部に他方の連結部を圧入で強固に差し込んだ後、一方の連結部に他方の連結部を溶接で固定する必要がある。
このため、トルクロッドの製造工程に圧入工程や溶接工程が必要になり、そのことが製造の容易化を図る妨げになっていた。
さらに、特許文献１のトルクロッドは、一対のブッシュに金属製の外筒がそれぞれ用いられており、そのことがトルクロッドの軽量化を図る妨げになっていた。
【０００８】
本発明は、ブッシュ間の長さ寸法を簡単に変えることが可能で、さらに、製造の容易化を図ることができ、加えて、軽量化を図ることができる自動車用のトルクロッドを提供することを課題とする。
【課題を解決するための手段】
【０００９】
請求項１に係る発明は、ロッド部の一端部に外筒を有するブラケットが設けられ、前記外筒の内部に弾性体を介して内筒が設けられ、前記内筒がパワープラントまたは車体に取り付けられる自動車用のトルクロッドにおいて、前記ロッド部が金属製の部材で、かつ、前記ブラケットが樹脂製の部材であり、前記ロッド部の一端部に前記ブラケットが一体に形成されたことを特徴とする。
【００１０】
請求項２は、前記ロッド部の他端部に前記ロッド部と同じ金属製の外筒が一体に形成され、前記金属製の外筒の内部に弾性体を介して内筒が設けられたことを特徴とする。
【発明の効果】
【００１１】
請求項１に係る発明では、ロッド部を金属製の部材とし、かつ、ブラケットを樹脂製の部材とした。そして、金属製ロッド部の一端部に樹脂製ブラケットを一体に形成した。
金属製ロッド部の一端部に樹脂製ブラケットを一体に形成する手段として、例えば「インサート成形」が用いられる。
このように、金属製ロッド部の一端部に樹脂製ブラケットを一体に形成することで、形成する際に、金属製ロッド部に対する樹脂製ブラケットの位置を調整してトルクロッドの長さ寸法を簡単に変えることができる。
【００１２】
さらに、金属製ロッド部の一端部に樹脂製ブラケットを一体に形成することで、従来技術のトルクロッドの製造工程において必要とされていた連結部の圧入工程や溶接工程を除去することができる。
このように、トルクロッドの製造工程から連結部の圧入工程や溶接工程を除去することで、トルクロッドの製造の容易化を図ることができる。
【００１３】
加えて、樹脂製ブラケットは外筒を有している。よって、樹脂製ブラケットを金属製ロッド部の一端部に一体に形成することで、金属製ロッド部の一端部に樹脂製の外筒を一体に形成することができる。
このように、外筒を樹脂製の部材とすることでトルクロッドの軽量化を図ることができる。
【００１４】
請求項２に係る発明では、ロッド部の他端部に、ロッド部と同じ金属製の外筒を一体に形成した。
よって、ロッド部を形成する際に、ロッド部の他端部に外筒を同時に一体形成することができるので、製造の容易化を図ることができる。
【図面の簡単な説明】
【００１５】
【図１】本発明に係る自動車用のトルクロッドを備えた車体前部構造体を示す斜視図である。
【図２】図１の自動車用のトルクロッドを示す斜視図である。
【図３】図２のトルクロッドのうち大ブッシュの破断状態を示す平面図である。
【図４】図３の４部拡大図である。
【図５】図２のトルクロッドの大ブッシュを示す断面図である。
【図６】本発明に係る自動車用のトルクロッドの製造工程を説明する図である。
【図７】本発明に係る自動車用のトルクロッドに衝撃荷重が作用した例を説明する図である。
【図８】本発明に係る自動車用のトルクロッドの大ブッシュを破壊する例を説明する図である。
【発明を実施するための形態】
【００１６】
本発明を実施するための最良の形態を添付図に基づいて以下に説明する。なお、「前」、「後」、「左」、「右」は運転者から見た方向にしたがう。
【実施例】
【００１７】
実施例に係る自動車用のトルクロッド２０について説明する。
図１に示すように、車体前部構造体１０は、車体前後方向に向けて配置された左右のサイドフレーム１１，１２と、左右のサイドフレーム１１，１２の下方に取り付けられたフロントサブフレーム１３と、フロントサブフレーム（車体）１３の上部１３ａに取り付けられたステアリングギヤボックス１６と、フロントサブフレーム１３およびパワープラント１９を連結する自動車用のトルクロッド（以下、「トルクロッド」という）２０とを備えている。
【００１８】
ステアリングギヤボックス１６は、ステアリングギヤ（図示せず）などを収容する円筒状のケースである。
このステアリングギヤボックス１６は、フロントサブフレーム１３の上部１３ａに車体幅方向を向いて取り付けられている。
ステアリングギヤボックス１６から延出されたステアリングシャフト１７にステアリングホイール１８が取り付けられている。
【００１９】
フロントサブフレーム１３の上部１３ａのうち車体幅方向の中央部にトルクロッド２０を介してパワープラント１９のうち車体幅方向の後中央部１９ａが連結されている。
パワープラント１９は、一例として、エンジンとトランスミッションとが一体に形成され、左右のサイドフレーム１１，１２間に横向きに配置されたエンジン／トランスミッションユニットである。
このパワープラント１９は、左サイドフレーム１１に左取付ブラケット（図示せず）を介して取り付けられ、右サイドフレーム１２に右取付ブラケット（図示せず）を介して取り付けられている。
【００２０】
図１、図２に示すように、トルクロッド２０は、フロントサブフレーム１３に取り付けられる大ブッシュ２１と、パワープラント１９に取り付けられる小ブッシュ２２と、大ブッシュ２１および小ブッシュ２２を連結する連結部２３とを備えている。
【００２１】
フロントサブフレーム１３に大ブッシュ２１がボルト２６を介して取り付けられ、パワープラント１９に小ブッシュ２２がボルト２８を介して取り付けられることで、フロントサブフレーム１３およびパワープラント１９がトルクロッド２０で連結されている。
フロントサブフレーム１３およびパワープラント１９をトルクロッド２０で連結することで、パワープラント１９やフロントサブフレーム１３の振動を絶縁（緩和）する。
【００２２】
加えて、車体前部構造体１０に車体前方側から衝撃荷重が作用し、衝撃荷重がパワープラント１９に伝わった場合、トルクロッド２０の大ブッシュ２１を破壊させて、パワープラント１９をフロントサブフレーム１３側に移動させることができる。
このように、フロントサブフレーム１３側にパワープラント１９を移動させることで、パワープラント１９に伝わった衝撃荷重を好適に吸収することができる。
【００２３】
図３に示すように、大ブッシュ２１は、樹脂製の外筒（外筒ブラケット）３１と、外筒３１内に同軸上に配置された金属製の内筒３２と、内筒３２を外筒３１に保持するゴム弾性体（弾性体）３３とを備えている。
大ブッシュ２１の外筒３１を樹脂製の部材とすることでトルクロッド２０の軽量化を図ることができる。
【００２４】
内筒３２の貫通孔３２ａにボルト２６を差し込み、ねじ部２６ａ（図２参照）をナット２７にねじ結合することで内筒３２（すなわち、大ブッシュ２１）がフロントサブフレーム１３の上部１３ａのうち車体幅方向の中央部（具体的には、上部１３ａのうち車体幅方向の中央部）に取り付けられている。
【００２５】
小ブッシュ２２は、アルミニウム合金製（金属製）の外筒３６と、外筒３６内に同軸上に配置された金属製の内筒３７と、内筒３７を外筒３６に保持するゴム弾性体３８とを備えている。
内筒３７の貫通孔３７ａにボルト２８を差し込み、ねじ部をナット（図示せず）にねじ結合することで小ブッシュ２２がパワープラント１９（具体的には、車体幅方向の後中央部１９ａ）に取り付けられている。
【００２６】
連結部２３は、大ブッシュ２１の外筒３１に一体形成された連結ブラケット４１と、小ブッシュ２２の外筒３６に一体形成されたアルミニウム合金製の連結ロッド部（ロッド部）４２とを備えている。
連結ロッド部４２の先端部（一端部）４４に連結ブラケット４１が一体に設けられることで、大ブッシュ２１および小ブッシュ２２が連結部２３で連結されている。
【００２７】
図３〜図５に示すように、連結ロッド部４２は、車体前後方向に向けて延出されたアルミニウム合金製（金属製）の部材で、基端部（他端部）４３が小ブッシュ２２の外筒３６に一体形成されている。
連結ロッド部４２をアルミニウム合金製の部材とすることで、連結ロッド部４２の重量を鋼製の部材と比較して軽量化を図るとともに、樹脂製の部材と比較して剛性を高めることができる。
【００２８】
連結ロッド部４２の剛性を高めることで、連結ロッド部４２の共振周波数（固有振動数）を２０００Ｈｚに高く設定することができる。
連結ロッド部４２の共振周波数を２０００Ｈｚに高く設定する理由はつぎの通りである。
すなわち、自動車などの車両は走行時（特に、加速時）に車両の左右方向（車幅方向）や上下方向に２００〜９００Ｈｚの振動が生じる。
【００２９】
このため、走行時（加速時）に生じる左右方向や上下方向の振動にトルクロッド２０が共振しないように連結ロッド部４２の共振周波数を２００〜９００Ｈｚより高く設定する必要がある。
そこで、アルミニウム合金製の連結ロッド部４２を用いて連結ロッド部４２の共振周波数（固有振動数）を２０００Ｈｚに高く設定した。
このように、連結ロッド部４２の共振周波数を２００〜９００Ｈｚより高く設定することで、特に加速時における連結ロッド部４２の共振を抑えることができる。
【００３０】
さらに、連結ロッド部４２は、先端部４４が連結ブラケット４１および外筒３１（すなわち、後述するブラケット３０）に埋設されている。
連結ロッド部４２の先端部４４は、先端鋭利形状に傾斜された傾斜先端４５と、傾斜先端４５および左側壁４２ａで形成された鋭角部４６と、傾斜先端４５近傍に円形状に形成された充填孔４７とを有している。
【００３１】
傾斜先端４５は、連結ロッド部４２の右側壁４２ｂ（すなわち、連結ロッド部４２の軸線５３）に対して傾斜角θ（θ＜９０°）で傾斜されている。
傾斜角θは、軸線５３に対して直交する方向から傾斜先端４５が大きく（十分に）傾斜するように設定されている。傾斜先端４５を大きく（十分に）傾斜させることで、鋭角部４６がブラケット３０を破壊可能に先細状に形成されている。
【００３２】
傾斜先端４５を大きく（十分に）傾斜させることで、連結ロッド部４２に衝撃荷重が作用した際に、連結ロッド部４２の進行方向を傾斜先端４５で変えることができる。
連結ロッド部４２の進行方向を傾斜先端４５で変えることで、傾斜先端４５を内筒３２から確実に回避できる。
これにより、連結ロッド部４２に衝撃荷重が作用した際に、連結ロッド部４２の進行（移動）を内筒３２で遮らないようにして傾斜先端４５（鋭角部４６）でブラケット３０（大ブッシュ２１）を確実に破壊できる。
【００３３】
さらに、連結ロッド部４２の先端部４４に傾斜先端４５（鋭角部４６）を備えることで、この傾斜先端４５（鋭角部４６）でブラケット３０（大ブッシュ２１）を好適に変形・破壊することができる。
これにより、従来技術で説明したように、ノッチ（くぼみ、切欠）を設ける部位やノッチの形状などを十分に検討する必要がなく、トルクロッド２０の生産性を高めることができる。
【００３４】
鋭角部４６は、傾斜先端４５および左側壁４２ａで形成されることで、平面視で十分に尖った先細状に形成されている。
鋭角部４６は、内筒３２の軸線５１に対して距離Ｓ１寸法だけ左側にずれた位置に配置されている。
内筒３２の軸線５１は連結ロッド部４２の延長線５２上に設けられている。
延長線５２は、連結ロッド部４２の軸線５３から同軸上に延ばされた線である。
【００３５】
この鋭角部４６は、後述する環状の枠部５５の外周面（弾性体の外周面）５５ａのうち近接部位５５ｂに比較的近接して設けられている。
この状態において、鋭角部４６（傾斜先端４５）が内筒３２（具体的には、軸線５１）から距離Ｓ２だけ離れた位置に配置されている。
【００３６】
ここで、連結ロッド部４２の進行方向を傾斜先端４５で変える際に、進行方向の変化量は連結ロッド部４２の移動距離に対応する。
すなわち、連結ロッド部４２の移動距離を比較的大きく確保することで、連結ロッド部４２の進行方向の変化量を大きく確保できる。
そこで、鋭角部４６（傾斜先端４５）を内筒３２（具体的には、軸線５１）から距離Ｓ２だけ離して配置した。
【００３７】
よって、連結ロッド部４２の進行方向を変えるために必要とする距離Ｓ２を比較的大きく確保できる。
これにより、連結ロッド部４２に衝撃荷重が作用して連結ロッド部４２の進行方向を傾斜先端４５で変える際に、連結ロッド部４２の進行方向を十分に変えて傾斜先端４５を内筒３２から確実に回避できる。
【００３８】
加えて、鋭角部４６を内筒３２（具体的には、軸線５１）から距離Ｓ１だけ離して配置した。
これにより、連結ロッド部４２に衝撃荷重が作用して連結ロッド部４２の進行方向を傾斜先端４５で変える際に、連結ロッド部４２の進行方向をさらに十分に変えて傾斜先端４５を内筒３２から一層確実に回避できる。
【００３９】
円形状の充填孔４７には樹脂が充填されている。
すなわち、連結ロッド部４２の先端部４４をブラケット３０に埋設する際に、円形状の充填孔４７に樹脂が充填され、充填孔４７にアンカ部４８が形成される。
充填孔４７にアンカ部４８が形成されることで、連結ロッド部４２の先端部４４にブラケット３０を一層良好に一体的に設けることができる。
さらに、アンカ部４８が先端部４４の抜け防止部材を兼ねており、先端部４４がブラケット３０から抜け出さないように、ブラケット３０に先端部４４を接着剤で接着する必要がない。
【００４０】
大ブッシュ２１の外筒３１および連結ブラケット４１が同じ樹脂で一体に形成されている。一体形成された大ブッシュ２１の外筒３１および連結ブラケット４１でブラケット３０が構成されている。
このブラケット３０の成形後、ブラケット３０の外筒３１内に内筒３２およびゴム弾性体３３が設けられ、大ブッシュ２１および連結ブラケット４１が一体に形成される。
【００４１】
連結ブラケット４１に連結ロッド部４２の先端部４４が埋設された状態において、連結ロッド部４２の車体後方側で、かつ、連結ロッド部４２の延長線５２上に大ブッシュ２１の内筒３２が設けられている。
【００４２】
大ブッシュ２１のゴム弾性体３３は、外筒３１の内周３１ａに沿って環状に形成された枠部５５と、枠部５５内に一体に形成された内筒支持部５６とを有している。
枠部５５および内筒支持部５６間に開口部３３ａ，３３ｂが形成されている。
【００４３】
環状の枠部５５は、外筒３１の内周３１ａに沿って環状に形成された外周面（弾性体の外周面）５５ａを有している。
この外周面５５ａのうち連結ロッド部４２の先端部４４側に対峙する近接部位５５ｂが鋭角部４６に比較的近接して設けられている。
【００４４】
内筒支持部５６は、枠部５５の内周に両側部が一体に形成され、車体幅方向の中央に内筒３２が設けられている。
この内筒支持部５６は、連結ロッド部４２の先端部４４側の部位（すなわち、開口部３３ａ側の部位）に先端部４４に向けて先端鋭利形状に突出した突出部５６ａを有している。
【００４５】
突出部５６ａは、延長線５２に頂部５６ｂが突出するように形成されることで、略山形（略富士山型）に形成されている。
よって、突出部５６ａは、頂部５６ｂの左側に形成された左傾斜面５７と、頂部５６ｂの右側に形成された右傾斜面５８とを有している。
左傾斜面５７は、連結ロッド部４２の傾斜先端４５のうち鋭角部４６側の部位４５ａに対向するように設けられ、かつ、傾斜先端４５と略平行に設けられている。
【００４６】
このように、連結ロッド部４２の傾斜先端４５に対向する位置に左傾斜面５７を設けることで、連結ロッド部４２に衝撃荷重が作用した際に、左傾斜面５７で傾斜先端４５を受けて、連結ロッド部４２の移動方向を左傾斜面５７で一層確実に変えることができる。
これにより、傾斜先端４５が内筒３２を一層確実に回避することが可能になり、傾斜先端４５でブラケット３０（大ブッシュ２１）を一層確実に破壊することができる。
【００４７】
つぎに、トルクロッド２０の全長を変える例を図６に基づいて説明する。
まず、トルクロッド２０を全長Ｌ３に比較的短く抑えた状態に製造する例を図６（ａ）に基づいて説明する。
図６（ａ）に示すように、連結ロッド部４２および小ブッシュ２２の外筒３６をアルミニウム合金で一体成形（一体形成）する。
一体成形した連結ロッド部４２および外筒３６のうち、連結ロッド部４２の先端部４４をブラケット用成形型６１のキャビティ内にセットする。
具体的には、連結ロッド部４２および小ブッシュ２２の外筒３６を、大ブッシュ２１の中心に対して小ブッシュ２２の中心が距離Ｌ３だけ離れた状態にセットする。
【００４８】
セット後に、ブラケット用成形型６１のキャビティ（樹脂注入空間）内に樹脂材を注入する。
注入した樹脂材が凝固（固化）してブラケット３０が成形された後、ブラケット３０をブラケット用成形型６１から取り出す。
この状態で、樹脂製のブラケット３０の連結ブラケット４１が連結ロッド部４２の先端部４４に一体に形成（一例として、インサート成形）される。
【００４９】
このブラケット３０は、連結ロッド部４２の先端部４４およびブラケット３０の首元部３０ａ間の首下長さＳ３が比較的短く形成される。
樹脂製のブラケット３０の外筒３１内に内筒３２およびゴム弾性体３３を設けるとともに、小ブッシュ２２の外筒３６内に内筒３７およびゴム弾性体３８を設ける。
これにより、トルクロッド２０を全長Ｌ３に比較的短く抑えた状態で製造できる。
【００５０】
つぎに、トルクロッド２０を全長Ｌ４に比較的長く確保した状態に製造する例を図６（ｂ）に基づいて説明する。
図６（ｂ）に示すように、連結ロッド部４２および小ブッシュ２２の外筒３６をアルミニウム合金で一体成形（一体形成）した後、連結ロッド部４２の先端部４４をブラケット用成形型６２のキャビティ内にセットする。
具体的には、連結ロッド部４２および小ブッシュ２２の外筒３６を、大ブッシュ２１の中心に対して小ブッシュ２２の中心が距離Ｌ４だけ離れた状態にセットする。
【００５１】
セット後、図６（ａ）と同様に、ブラケット用成形型６２のキャビティ（樹脂注入空間）内に樹脂材を注入して、樹脂製のブラケット３０を連結ロッド部４２の先端部４４に一体に形成（インサート成形）する。
この樹脂製のブラケット３０は、連結ロッド部４２の先端部４４およびブラケット３０の首元部３０ａ間の首下長さＳ４が、図６（ａ）の首下長さＳ３より比較的長く形成される。
これにより、トルクロッド２０を全長Ｌ４に比較的長く確保した状態で製造できる。
【００５２】
図６（ａ）、（ｂ）で説明したように、樹脂製の外筒３１内に内筒３２およびゴム弾性体３３を設けることで大ブッシュ２１が形成される。
これにより、樹脂製の外筒３１を備えた大ブッシュ２１を連結ロッド部４２の先端部４４に一体に形成することができる。
このように、大ブッシュ２１の外筒３１を樹脂製の部材とすることでトルクロッド２０の軽量化を図ることができる。
【００５３】
さらに、ブラケット３０を首下長さＳ３、Ｓ４に調整することで、トルクロッド２０を全長Ｌ３に比較的短く抑えた状態や、全長Ｌ４に比較的長く確保した状態で製造できる。
このように、金属製の連結ロッド部４２（先端部４４）に樹脂製のブラケット３０を一体に形成（インサート成形）する際に、連結ロッド部４２に対するブラケット３０の位置を、例えば首下長さＳ３、Ｓ４に調整してトルクロッド２０の長さ寸法を、例えば全長Ｌ３、Ｌ４に簡単に変えることができる。
【００５４】
加えて、金属製の連結ロッド部４２（先端部４４）に樹脂製のブラケット３０を一体に形成（インサート成形）することで、従来技術のトルクロッド２０の製造工程において必要とされていた連結部の圧入工程や溶接工程を除去することができる。
このように、トルクロッド２０の製造工程から連結部の圧入工程や溶接工程を除去することで、トルクロッド２０の製造の容易化を図ることができる。
【００５５】
さらに、連結ロッド部４２および小ブッシュ２２の外筒３６を、同じアルミニウム合金で形成するようにした。
これにより、連結ロッド部４２を形成（成形）する際に、連結ロッド部４２の基端部（他端部）４３に小ブッシュ２２の外筒３６を同時に一体形成（一体成形）することができるので、製造の容易化を図ることができる。
【００５６】
つぎに、トルクロッド２０で車体前方側から後方に向けて作用した衝撃荷重を吸収する例を図７、図８に基づいて説明する。
図７（ａ）に示すように、車体前方側から車体後方に向けて衝撃荷重が作用することにより、パワープラント１９に衝撃荷重Ｆ１が矢印の如く作用する。
ここで、パワープラント１９に小ブッシュ２２の内筒３７がボルト２８およびナット（図示せず）で取り付けられている。
よって、パワープラント１９に作用した衝撃荷重Ｆ１がボルト２８およびナット（図示せず）を経て小ブッシュ２２に伝わる。そして、小ブッシュ２２に伝わった衝撃荷重が連結ロッド部４２に衝撃荷重Ｆ２として矢印の如く伝わる。
【００５７】
図７（ｂ）に示すように、連結ロッド部４２に衝撃荷重Ｆ２が伝わることで、先端部４４のアンカ部４８（具体的には、アンカ部４８の端部４８ａ，４８ａ）が剪断（破損）される。
先端部４４のアンカ部４８の端部４８ａ，４８ａが破損することで、先端部４４が大ブッシュ２１（環状の枠部５５）に向けて矢印Ａの如く移動する。
連結ロッド部４２の先端部４４が枠部５５に向けて移動することで、先端部４４の鋭角部４６が枠部５５（具体的には、枠部５５の近接部位５５ｂ）を押圧する。
【００５８】
図８（ａ）に示すように、近接部位５５ｂを鋭角部４６で押圧することで、近接部位５５ｂや近接部位５５ｂの近傍が破壊される。
よって、連結ロッド部４２の先端部４４が矢印Ａの如く継続して移動することで、傾斜先端４５が内筒支持部５６の突出部５６ａに当接する。
ここで、傾斜先端４５は傾斜角θ（図４参照）で傾斜されている。よって、連結ロッド部４２の移動方向を傾斜先端４５で内筒３２から離れる方向に変えることができる。
【００５９】
この状態で、連結ロッド部４２の傾斜先端４５が内筒支持部５６の突出部５６ａに当接する。
突出部５６ａに当接した傾斜先端４５が左傾斜面５７に案内され、大ブッシュ２１の内筒３２から離れる方向に矢印Ｂの如く移動する（すなわち、傾斜先端４５が内筒３２から離れる方向に移動する）。
このように、傾斜先端４５が内筒３２から離れる方向に移動することで、傾斜先端４５が内筒支持部５６（具体的には、内筒支持部５６のうち内筒３２から離れた部位５６ｃ）に向けて移動する。
【００６０】
図８（ｂ）に示すように、内筒支持部５６の部位５６ｃを傾斜先端４５で破壊し、傾斜先端４５を継続して矢印Ｂの如く移動することで、枠部５５の部位５５ｃおよび外筒３１の部位３１ｂを破壊する。
よって、連結ロッド部４２の傾斜先端４５で大ブッシュ２１を破壊することができる。
【００６１】
このように、連結ロッド部４２の傾斜先端４５を内筒３２から回避させて傾斜先端４５で大ブッシュ２１を破壊することで、内筒３２に遮られることなく連結ロッド部４２を大ブッシュ２１に貫通させることができる。
連結ロッド部４２を大ブッシュ２１に貫通させることで、小ブッシュ２２を車体後方に向けて移動することができる。
【００６２】
小ブッシュ２２を車体後方に向けて移動することで、パワープラント１９を移動前位置Ｐ１から移動後位置Ｐ２まで移動量（Ｌ１−Ｌ２）分だけ車体後方に向けて移動させることができる。
このように、連結ロッド部４２の傾斜先端４５で大ブッシュ２１を破壊させてパワープラント１９を車体後方に向けて移動することで、パワープラント１９に作用した衝撃荷重Ｆ１を好適に吸収することができる。
【００６３】
なお、本発明に係る自動車用のトルクロッド２０は、前述した実施例に限定されるものではなく適宜変更、改良などが可能である。
例えば、前記実施例では、大ブッシュ２１の内筒３２をフロントサブフレーム１３に取り付けるとともに小ブッシュ２２の内筒３７をパワープラント１９に取り付けた例について説明したが、これに限定するものではない。
例えば、大ブッシュ２１の内筒３２をパワープラント１９に取り付けるとともに小ブッシュ２２の内筒３７をフロントサブフレーム１３に取り付けることも可能である。
【００６４】
また、前記実施例では、大ブッシュ２１の外筒３１を樹脂で形成し、小ブッシュ２２の外筒３６をアルミニウム合金で形成した例について説明したが、これに限らないで、大ブッシュ２１および小ブッシュ２２の両方の外筒３１，３６を樹脂で形成することも可能である。
【００６５】
さらに、前記実施例では、連結ロッド部４２および小ブッシュ２２の外筒３６を金属としてアルミニウム合金で形成した例について説明したが、これに限らないで、チタン合金などの他の金属で成形することも可能である。
【００６６】
また、前記実施例では、トルクロッド２０を製造する際に、連結ロッド部４２の先端部４４のみをキャビティ内にセットするブラケット用成形型６１、６２を用いた例について説明したが、これに限らないで、連結ロッド部４２および外筒３６の全体をセットするブラケット用成形型を用いることも可能である。
【００６７】
さらに、前記実施例で示した車体前部構造体１０、フロントサブフレーム１３、パワープラント１９、自動車用のトルクロッド２０、ブラケット３０、外筒３１，３６、内筒３２，３７、ゴム弾性体３３，３８、連結ロッド部４２、基端部４３および先端部４４などの形状や構成は例示したものに限定するものではなく適宜変更が可能である。
【産業上の利用可能性】
【００６８】
本発明は、動力源となるパワープラントを車体に連結してパワープラントや車体の振動を絶縁（緩和）する自動車用のトルクロッドを備えた自動車への適用に好適である。
【符号の説明】
【００６９】
１０…車体前部構造体、１３…フロントサブフレーム（車体）、１９…パワープラント、２０…自動車用のトルクロッド、３０…ブラケット、３１，３６…外筒、３２，３７…内筒、３３，３８…ゴム弾性体（弾性体）、４２…連結ロッド部（ロッド部）、４３…基端部（他端部）、４４…先端部（一端部）。
【図１】
2011168087.tif 000003
【図２】
2011168087.tif 000004
【図３】
2011168087.tif 000005
【図４】
2011168087.tif 000006
【図５】
2011168087.tif 000007
【図６】
2011168087.tif 000008
【図７】
2011168087.tif 000009
【図８】
2011168087.tif 000010